(57)【要約】【課題】  ＢＤを含む光ディスク装置を備えた記録再生装置の録画に関して使い勝手の良い記録再生装置を提供する。【解決手段】  記録再生装置Ａは、ＨＤＤ、ＢＤ及びＤＶＤの３ドライブを備え、ＣＰＵ３は、ＢＤ又はＨＤＤのうち、いずれの記録媒体に対してハイビジョン信号を優先して記録するかをＢＤ自動録画モードとしてあらかじめ設定し、ハイビジョン信号が検出されたとき、ＨＤＤ、ＢＤ及びＤＶＤのドライブ３３，３５，３１が記録を行うよう制御する。【選択図】  図１０
2006165897.tif 000002
【特許請求の範囲】
【請求項１】
複数の記録媒体に対して情報の記録又は再生を行う複数の記録再生部と、
前記複数の記録再生部を制御する制御部とを備える記録再生装置であって、
ハイビジョン信号を検出するハイビジョン信号検出部と、
前記複数の記録媒体のうち、いずれの記録媒体に対して前記ハイビジョン信号を優先して記録するかをあらかじめ設定する設定部とを備え、
前記制御部は、前記ハイビジョン信号検出部によりハイビジョン信号が検出されたとき、前記設定部により設定された記録媒体の記録再生部が記録を行うよう制御することを特徴する記録再生装置。
【請求項２】
ハイビジョン信号を記録可能な第１及び第２の記録媒体とを含む複数の記録媒体に対して情報の記録又は再生を行う複数の記録再生部と、
前記複数の記録再生部を制御する制御部とを備える記録再生装置であって、
ハイビジョン信号を検出するハイビジョン信号検出部と、
前記第１及び第２の記録媒体のうち、いずれの記録媒体に対して前記ハイビジョン信号を優先して記録するかをあらかじめ設定する設定部とを備え、
前記制御部は、前記ハイビジョン信号検出部によりハイビジョン信号が検出されたとき、前記設定部により設定された記録媒体の記録再生部が記録を行うよう制御することを特徴する記録再生装置。
【請求項３】
前記制御部は、前記第１の記録媒体の記録再生部による記録ができないときは前記第２の記録媒体の記録再生部による記録に切替えて継続記録することを特徴する請求項２記載の記録再生装置。
【請求項４】
前記制御部は、前記第１の記録媒体の記録再生部による記録ができないときは前記第２の記録媒体の記録再生部による記録に切替えて継続記録するとともに、
前記第１の記録媒体の記録再生部による記録が可能になったときは前記第２の記録媒体に記録されている継続記録情報を、該第１の記録媒体に書き戻すことを特徴する請求項２又は３に記載の記録再生装置。
【請求項５】
前記制御部は、前記第１の記録媒体の記録再生部による前記ハイビジョン信号の記録ができないときは前記ハイビジョン信号よりも低精細の信号にダウンコンバートして、記録可能な記録媒体に継続記録することを特徴する請求項２乃至４のいずれか一項に記載の記録再生装置。
【請求項６】
さらに、記録を行う記録媒体の記憶可能容量を検出する残容量検出部を備え、
前記制御部は、前記検出部により検出された記録媒体の残容量が不足している場合を、前記記録ができないときであると判定することを特徴する請求項２乃至５のいずれか一項に記載の記録再生装置。
【請求項７】
さらに、記録を行う記録媒体の記憶可能容量を検出する残容量検出部を備え、
前記制御部は、前記残容量検出部により検出された記録媒体の残容量と記録すべき情報量とから前記記録を行う記録媒体に全編がハイビジョンで記録できるか否かを判定し、ハイビジョンによる全編記録が不可の場合は前記ハイビジョン信号よりも低精細の信号にダウンコンバートして、全編をハイビジョン及びダウンコンバートにより記録することを特徴する請求項２乃至６のいずれか一項に記載の記録再生装置。
【請求項８】
ハイビジョンからダウンコンバートへの切り替えはＣＭ時又はシーンチェンジ又はステレオ放送とモノラル放送の切り替え時のうち少なくとも一つの放送信号変化時に行うことを特徴する請求項５又は７に記載の記録再生装置。
【請求項９】
前記複数の記録媒体は、ＨＤＤ、片面の記録容量が８．６ギガバイト以上の光ディスク、ＤＶＤ、半導体メモリ又はＩＥＥＥ１３９４規格に準拠した機器の少なくともいずれか一つの組み合わせを含むことを特徴する請求項１乃至７のいずれか一項に記載の記録再生装置。
【請求項１０】
前記第１及び第２の記録媒体は、ＨＤＤ又は片面の記録容量が８．６ギガバイト以上の光ディスクであることを特徴する請求項１、２、３、４、５、６、７又は９のいずれか一項に記載の記録再生装置。
【請求項１１】
前記制御部による制御を報知する報知部を備えることを特徴する請求項１乃至７のいずれか一項に記載の記録再生装置。
【発明の詳細な説明】
【技術分野】
【０００１】
本発明は記録再生装置に関し、特に、筐体内に複数の記録媒体駆動装置を備える記録再生装置の録画制御の改良に関する。
【背景技術】
【０００２】
最近の記録再生装置は、マルチメディア時代の要望に応えるために、大容量データの記憶媒体としてＤＶＤ（Digital Versatile Disk）を記録媒体として用いたＤＶＤ装置と大容量かつ安価なハードディスク装置（ＨＤＤ）とを備えているのが一般的である。
【０００３】
ＤＶＤ装置は、波長６.５０ｎｍ帯の赤色半導体レーザを光ディスクのピックアップとして用いている。一般的なＤＶＤの記憶容量は４．７ＧＢである。
【０００４】
一方、従来に比べて記録容量を増大させた光ディスクとして、ブルーレイディスク（Blu-ray Disc：登録商標）及びＨＤ  ＤＶＤ（High Definition ＤＶＤ）が発表されている。以下、ブルーレイディスクを「ＢＤ」と言う。ＢＤの場合は片面単層の記録容量は２３．３ギガバイト（ＧＢ）、２５ＧＢ、２７ＧＢの３種類が規格化されており、ＨＤ  ＤＶＤの場合は片面単層の記録容量が１５ＧＢであるものが発表されており、２０ＧＢの仕様も検討されている。これらの光ディスクの記録容量は、片面２層記録での記録容量が８．５ＧＢであるＤＶＤの記録容量を凌駕しており、ＢＤでは２時間以上に及ぶデジタルハイビジョン放送の番組を１枚のディスクに記録することができる。これらの光ディスクを使用する録画装置は、情報の記録及び再生を行うために波長が４００ｎｍ帯の青色半導体レーザ光を用いる構成となっている（例えば、特許文献１参照）。
【０００５】
また、既存のコンパクトディスク（ＣＤ）、ＤＶＤに加えて、ＢＤにも対応するために、長波長（ＣＤ用）と中波長（ＤＶＤ用）に加えて短波長（ＢＤ）の３波長のレーザ光源・を備える光ディスク装置が提案されている（例えば特許文献２参照）。この装置では、上記３種類の波長に対応するピックアップを設け、ドライブを１つにして省スペース化を図っている。
【０００６】
また、特許文献３には、ディスクの再生及び記録用のツインデッキタイプのオーディオ装置であって、再生専用デッキと記録専用デッキとを有した２トレイ方式の装置が記載されている。
【０００７】
このような記録媒体にＡＶデータを記録するにあたって、一般的に、ビットレートやフレームレートの異なる数種類の記録モードの中から１つの記録モードをユーザ操作によりあるいは自動的に選択して記録を行うことができるようになっている。例えば、ＡＶデータの記録装置における記録モードには、ビットレート及びフレームレートの高い順に、ファインモード、ノーマルモード、ポータブルモードの３種類が規定されている。
【０００８】
ユーザは、記録するＡＶデータのコンテンツによって、これらの記録モードを使い分けて記録することができる。例えば、映画やドラマなどのコンテンツはユーザが高画質で視聴することを望むためファインモードで記録し、ニュースやスポーツ中継などのコンテンツはやや画質を低下したノーマルモードで記録するなどである。なお、ポータブルモードは、主に携帯端末で視聴するためのコンテンツの記録モードである。このように、記録する対象データに応じて記録モードを使い分けることにより、記録媒体の限られた記録容量を効率よく利用することができる。
【０００９】
特許文献４に記載の携帯型映像記録装置では、入力された音声及び映像データを符号化してメモリカードに記憶する際に、パラメータ設定装置によって、記録対象の映像コンテンツ、画像サイズ及び画像解像度に応じて平均的なフレームレート及びビットレートを最適な範囲に設定するとともに、符号化時にフレームレート又はフレーム画質を動的に変動させて全体としてのビットレートを一定に保つことを特徴としている。特許文献４の図２及び図３には、記録対象の映像コンテンツ、画像サイズ及び画像解像度と、それに応じたフレームレート及びビットレートの範囲を記憶したデータベースのテーブル構成が示されている。
【００１０】
また、ユーザは、記録媒体の残容量が少なくなってきた場合には、画質を落としてでも記録したいコンテンツの全部を記録媒体に記録しようと考えることがある。例えば、記録媒体の残容量が１ＧＢである時に６０分のＡＶデータをファインモードで記録することは不可能であるが、ノーマルモードでは記録することができる。
【００１１】
特許文献５に記載の情報記録再生装置及び情報記録再生方法では、ディスクの記録容量が規定値以下になったと判断したとき、再圧縮設定フラグ又は再圧縮順序設定フラグを設定することにより、ユーザが高画質で保存しておきたい内容と低画質で保存してもよい内容とを区別して、記録データの内容に応じた再圧縮、再記録処理を施すことができるようになっている。
【００１２】
【特許文献１】特開２００４−１９２８０１号公報
【特許文献２】特開２００４−１０３１３５号公報
【特許文献３】特開２００３−２８８７７１号公報
【特許文献４】特開２００３−３２６２９号公報
【特許文献５】特開２００３−２３５００９号公報
【発明の開示】
【発明が解決しようとする課題】
【００１３】
しかしながら、２以上のディスク装置を備えた記録再生装置は存在するものの、例えばＢＤを設けた装置についてハイビジョン信号の記録動作に関する記載はなく、またツインドライブの１つがＢＤ装置である場合の、ドライブ間での双方向のダビング制御及び自動録画制御に関する記載はない。
【００１４】
また、特にＤＶＤやＢＤにおいては、例えばユーザが使用機器の電源を入れて記録をスタートさせた場合でも、ディスク記録媒体に実際に信号の書き込みが開始されるまでに約１５〜２０秒程度を要し、一旦誤ってディスク記録媒体を取り出してしまうと再度記録の準備を完了するのに倍の時間がかかり、ユーザにとって操作性の改善が望まれていた。
このため、一つの記録再生装置に複数の記録又は再生部を有した機器においては、各記録又は再生部の現在の作動状態を一目で認識できるとともに、記録又は再生部の操作性の向上を図る表示手段を搭載した記録再生装置が望まれていた。
【００１５】
本発明は、このような課題に鑑みてなされたものであって、ＢＤを含む光ディスク装置を備えた記録再生装置の録画に関して使い勝手を良くすることを目的とする。
【課題を解決するための手段】
【００１６】
本発明の記録再生装置は、複数の記録媒体に対して情報の記録又は再生を行う複数の記録再生部と、前記複数の記録再生部を制御する制御部とを備える記録再生装置であって、ハイビジョン信号を検出するハイビジョン信号検出部と、前記複数の記録媒体のうち、いずれの記録媒体に対して前記ハイビジョン信号を優先して記録するかをあらかじめ設定する設定部とを備え、前記制御部は、前記ハイビジョン信号検出部によりハイビジョン信号が検出されたとき、前記設定部により設定された記録媒体の記録再生部が記録を行うよう制御することを特徴としている。
【００１７】
本発明の記録再生装置は、ハイビジョン信号を記録可能な第１及び第２の記録媒体とを含む複数の記録媒体に対して情報の記録又は再生を行う複数の記録再生部と、前記複数の記録再生部を制御する制御部とを備える記録再生装置であって、ハイビジョン信号を検出するハイビジョン信号検出部と、前記第１及び第２の記録媒体のうち、いずれの記録媒体に対して前記ハイビジョン信号を優先して記録するかをあらかじめ設定する設定部とを備え、前記制御部は、前記ハイビジョン信号検出部によりハイビジョン信号が検出されたとき、前記設定部により設定された記録媒体の記録再生部が記録を行うよう制御することを特徴としている。
【００１８】
より好ましくは、前記制御部は、前記第１の記録媒体の記録再生部による記録ができないときは前記第２の記録媒体の記録再生部による記録に切替えて継続記録する。
【００１９】
より好ましくは、前記制御部は、前記第１の記録媒体の記録再生部による記録ができないときは前記第２の記録媒体の記録再生部による記録に切替えて継続記録するとともに、前記第１の記録媒体の記録再生部による記録が可能になったときは前記第２の記録媒体に記録されている継続記録情報を、該第１の記録媒体に書き戻す制御を行う。
【００２０】
前記制御部は、前記第１の記録媒体の記録再生部による前記ハイビジョン信号の記録ができないときは前記ハイビジョン信号よりも低精細の信号にダウンコンバートして、記録可能な記録媒体に継続記録するものであってもよい。
【００２１】
さらに、具体的な態様として、記録を行う記録媒体の記憶可能容量を検出する残容量検出部を備え、前記制御部は、前記残容量検出部により検出された記録媒体の残容量が不足している場合を、前記記録ができないときであると判定する。
【００２２】
さらに、具体的な態様として、記録を行う記録媒体の記憶可能容量を検出する残容量検出部を備え、前記制御部は、前記残容量検出部により検出された記録媒体の残容量と記録すべき情報量とから前記記録を行う記録媒体に全編がハイビジョンで記録できるか否かを判定し、ハイビジョンによる全編記録が不可の場合は前記ハイビジョン信号よりも低精細の信号にダウンコンバートして、全編をハイビジョン及びダウンコンバートにより記録する。
【００２３】
より好ましい具体的な態様として、ハイビジョンからダウンコンバートへの切り替えはＣＭ時又はシーンチェンジ又はステレオ放送とモノラル放送の切り替え時のうち少なくとも一つの放送信号変化時に行うものである。
【００２４】
具体的な態様として、前記複数の記録媒体は、ＨＤＤ、片面の記録容量が８．６ギガバイト以上の光ディスク、ＤＶＤ、半導体メモリ又はＩＥＥＥ１３９４規格に準拠した機器の少なくともいずれか一つの組み合わせを含むものである。
【００２５】
具体的な態様として、前記第１及び第２の記録媒体は、ＨＤＤ又は片面の記録容量が８．６ギガバイト以上の光ディスクである。
【００２６】
また、前記制御部による制御を報知する報知部を備えることがより好ましい。
【発明の効果】
【００２７】
以上、説明したように、本発明の記録媒体記録再生装置によれば、ＢＤ自動録画モードに設定されているときは、録画データはハイビジョンでＢＤ側に優先して録画される。ハイビジョン信号が最初からＢＤに自動録画されるので、後でユーザがＨＤＤからＢＤに画像データを転送又は移動（ムーブ）する手間と時間を省略することができる。また、ＢＤディスクが入っていない場合やＢＤに残容量がない場合などはＤＶＤ又はＢＤに自動的にダウンコンバート録画される。
【００２８】
また、放送信号のハイビジョン信号をＢＤに自動記録する際、ＢＤディスクが一杯になったときＨＤＤに継続記録し、ＨＤＤに記録中にＢＤディスクを交換し、ＨＤＤに継続記録したハイビジョン信号をＢＤディスクに自動転送して戻すことができる。
【００２９】
さらに、放送信号のハイビジョン信号をＢＤに自動記録する際、ＢＤディスクの残容量を検出し、ＢＤディスクに全部入らないときは、ダウンコンバートして全編を１枚のＢＤディスクに録画するので、全編を１枚のＢＤディスクに録画することができる。
【００３０】
このように、ハイビジョン信号記録可能なＨＤＤ、ＢＤ及びＤＶＤの３ドライブ一体型搭載のレコーダの特徴を活かした使用方法が実現でき、使い勝手を格段に向上させることができる。
【発明を実施するための最良の形態】
【００３１】
以下、添付図面を参照しながら本発明の好適な記録再生装置の実施の形態について詳細に説明する。
【００３２】
本明細書において、光学ディスクは、例えば、再生専用のＣＤ−ＲＯＭ、ＤＶＤ−ＲＯＭ、再生・記録が可能なＣＤ−Ｒ（Ｗ）、ＤＶＤ−Ｒ（ＲＷ）など、及びＢＤを含む。光学ディスク装置は、これらのメディアを駆動することができる駆動装置を指す。
【００３３】
第１の実施の形態
図１は、本発明の第１の実施の形態の記録再生装置の外観構成例を示す斜視図であり表面パネルを閉じた状態を示す図である。図２は、図１の斜視図に対応する図であり表面パネルを開いた状態を示す図である。図３は、本実施の形態による記録再生装置の内部に配置されているディスク装置の配置例を示す図である。図４は、記録再生装置を遠隔操作することができるリモートコントロール装置（以下、「リモコン装置」）の構成例を示す図である。図５は、本実施の形態による記録再生装置の内部構成例を示す機能ブロック図である。
【００３４】
図１から図３までに示すように、本実施の形態による記録再生装置Ａは、第１の光学ディスク装置であるＤＶＤ装置３１と、このＤＶＤ装置とは記憶容量などの規格が異なる第２の光学ディスク装置であるＢＤ装置３５とが隣接して配置されるいわゆる２トレイ方式の記録再生装置である。
【００３５】
図３に示すように、本実施の形態による記録再生装置は、一般的な横置きの配置にした場合に、正面から見て左側にＤＶＤ装置３１が、右側にＢＤ装置３５が配置されるとともに、ＤＶＤ装置３１の下方にハードディスク装置（ＨＤＤ）３３が配置される。ある程度の厚みを有する光学ディスク装置３１、３５を左右に配置し、光学ディスク装置と比較して小型１薄型化が可能なＨＤＤ装置３３をＤＶＤ装置３１の下方に配置することで筐体１の厚さを薄くすることができる。さらに、ＤＶＤのディスクよりもより微細な加工を行っているためピックアップとディスクとの間の高い位置精度が要求されるため（すなわち、耐振動性が要求される）振動発生源となりうるＨＤＤ装置３３の横方向にＢＤ装置３５を配置し、ＤＶＤ装置３１の下方にＨＤＤ装置３３を配置することにより、ＨＤＤ３３に起因する振動の影響を極力小さくすることができる。これらのディスク装置３１、３３、３５は、全て記憶・再生が可能であるが、例えば、ＤＶＤ装置が再生専用である場合も含まれる。
【００３６】
なお、一般的に、ハードディスク装置３３は、記憶容量が４００ＧＢ（ギガバイト）程度も実用化されており、３つのディスク装置の中では最も記憶容量が大きくすることができ、次いで、ＢＤ装置３５、ＤＶＤ装置３１の順に記憶容量が少なくなる。したがって、ＨＤＤ装置３３を基本的な記憶装置としてデータサーバ的に利用し、使用状況又は求められる画質、コンテンツの占有記憶容量等を勘案して、適宜コンテンツをＨＤＤ装置３３からＢＤ装置３５又はＤＶＤ装置３１を介してＤＶＤのディスク又はＢＤのディスクに振り分けて半永久的に記憶メディアに記憶させることができる。これらの記憶メディアに記憶されたコンテンツは、他の再生装置でコンテンツを再生させたり、オリジナルのコンテンツを作成して配布したりすることができる。
【００３７】
図１に示すように、本実施の形態による記録再生装置Ａは、上板１ａが配置された筐体１と、横置き時における正面に設けられた開閉式の正面パネル２５ａを有している。正面パネル２５ａの左右には、それぞれ電源オン／オフ用スイッチ１ｂ及び図４に示すリモートコントロール装置（以下、「リモコン装置」と称する。）からの赤外線による指令を受けるＲＣ受光部１７と、正面パネル２５ａを開くためのパネル開スイッチ２５ｂと、正面パネル２５ａをロックする正面パネルロック機構２５と、を有している。
【００３８】
正面パネルロック機構２５の詳細な説明は省略するが、通常は正面パネル２５ａをロックしており、リモコンのパネル開スイッチ（図４（Ｂ）のトレイ開閉スイッチがこの機能を兼ねている）又はパネル開スイッチ２５ｂをオンすることにより正面パネル２５ａを開方向に押す。
【００３９】
正面パネル２５ａが一旦押されると、正面パネル２５ａの自重により筐体の正面と正面パネル２５ａとの成す内角の角度が９０度程度になるまで開方向に回転移動し、図２に示すように筐体の正面と正面パネル２５ａとの成す角度が９０度程度になった時点で回動が停止する。なお、正面パネル２５ａのロック機構をリモコン装置により解除することにより、正面パネル２５ａをリモコン装置からの操作により開けることができる。正面パネル２５ａには、表示部４０が設けられている。この表示部４０は、筐体１を横置きにした場合に横方向にある間隔をあけて配置された略円形の第１表示部４１と、第２表示部４３・４５と、第３表示部４７と、が設けられている。
【００４０】
図２に示すように、正面パネル２５ａを開いた場合には、筐体１の正面側であって正面パネル２５ａが閉じていた場合の裏面側に、記録再生装置Ａに内蔵されている第１の光ディスク装置であるＤＶＤ装置３１と第２の光ディスク装置であるＢＤ装置３５のトレイの正面部３１ａ、３５ａが現れる。それぞれの光ディスク装置３１、３５のディスク搭載用のトレイを出し入れするための開閉スイッチ３１ｂ、３５ｂが設けられている。この開閉スイッチ３１ｂ、３５ｂを押すことにより、それぞれの光ディスク装置３１、３５のそれぞれに対応する図示しないＤＶＤのディスク又はＢＤのディスクを載せるためのトレイが進退するようになっている。
【００４１】
ＤＶＤ装置３１とＢＤ装置３５とが並んで配置されている領域の下方には、例えばＩＥＥＥ１３９４端子（ＤＶ端子）と、Ｂ−ＣＡＳカード用のスロット２１と、が設けられている。Ｂ−ＣＡＳカードは地上デジタルテレビジョン放送、ＢＳデジタル放送、１１０度ＣＳデジタル放送等の各種放送サービスを受信するために必要なカードであり、デジタル放送の番組等の著作権保護にも利用される。例えば、デジタル放送の無料放送、有料放送、ペイ・パー・ビュー放送、ＮＨＫ、自動表示メッセージ、及びデータ放送の双方向サービス等の放送サービスを利用するためには、Ｂ−ＣＡＳカード用のスロット２１にＢ−ＣＡＳカードを挿入する必要がある。なお、符号２１ａはＢ−ＣＡＳカード用のスロットに挿入されたＢ−ＣＡＳカードを取り出すための押しボタンである。
【００４２】
正面パネル２５ａを開けた状態においてＢ−ＣＡＳカードをＢ−ＣＡＳカード用のスロット２１に挿入した場合に、正常にカードがロックされるまでスロットに挿入することで、正面パネル２５ａを閉めた場合にも正面パネル２５ａとＢ−ＣＡＳカードのエッジとがぶつかることによるＢ−ＣＡＳカードの破損しないようになっている。
【００４３】
上述のように、それぞれがディスク駆動部を有するＤＶＤ装置とＢＤ装置とを備えた２トレイ方式を採用し、かつ、内蔵のハードディスク装置も備えているため、ＤＶＤのディスク又はＢＤのディスクのそれぞれに関連する起動時間に起因する遅延を極力短くすることができる。例えば、ＤＶＤ装置３１又はＢＤ装置３５に新たにＤＶＤのディスク又はＢＤのディスクを挿入した場合は、それぞれの装置に載置されたディスクの情報を読みに行き、読み込まれた情報によりディスクの種類、規格、などを検出する。すなわち、ディスクがそのディスク装置により再生又は記録などの操作が可能であるか否かを判定した後に初めて、次の処理（実際の再生又は記録処理）に移行することができる。２トレイ方式を用いることで、例えば２種類の規格の異なるディスクを規格の一致するディスク装置に入れることで異なるディスクの情報読み込み時間を平行して情報読み込みを行わせることにより、短時間でディスク装置の起動処理を行うことができる。すなわち、２ディスクの出し入れ時におけるディスクの情報読み込みに起因する遅延を２ディスクの情報読み込みを並行して行わせることにより低減することができるという利点がある。
【００４４】
また、再生側と記録側のディスクを固定して一方のディスクに記録されたコンテンツを再生し、この再生されたコンテンツを他方のディスクにリアルタイムに記録していくいわゆるダビング処理がハードディスク装置を介さずに可能である。したがって、ダビング処理中にハードディスク装置がフリーの状態となる他の処理、例えば現在放送中の番組をハードディスク装置に記録することも可能である。
【００４５】
次に、本実施の形態による記録再生装置Ａの内部構成例について図５の全体機能ブロック図と図４を参照しつつ説明を行う。適宜、図１〜図３までを参照しつつ説明を行う。図５に示すように、本実施の形態による記録再生装置Ａは、全体の制御を行うＣＰＵ３（ハイビジョン信号検出部，残容量検出部，設定部，制御部）と、後述する各機能を実行する機能ブロック群と、を有している。記録・再生機能を有するブロックとしては、上述のように、ＤＶＤ装置３１とハードディスク装置３３とＢＤ装置３５とが備えられている。
【００４６】
これらの各ディスク装置３１、３３、３５は、ディスク駆動制御部３７を介して又は直接に、ＣＰＵ３からの制御命令に基づいて動作する。実際には、図４に示すリモコン装置の各操作ボタン又は上述した記録再生装置Ａ本体側の操作スイッチなどを操作することにより、リモコン装置ＲＣの場合には赤外線信号をＲＣ受光部１７において受信し、操作に応じた信号を受けてＣＰＵ３に伝達する。ＣＰＵ３は受けた信号に基づいて上記操作に基づく動作を行うように、各機能ブロックに対して指令する指令信号を出力する。例えば、リモコン装置ＲＣの放送選択部７０においてＣＳ放送選択ボタン７０ｄが押され対象機器選択部においてＢＤの選択ボタン７１ｃが押されると、ＢＤのディスクドライブ装置３５に入っているＢＤのディスクにＣＳ放送番組のコンテンツを記録することができる。ＢＤのディスクはＤＶＤのディスクに比べて大容量のデータを記憶することが可能であるため、例えば２〜３時間以上のＣＳ放送を高画質で記録可能である。
【００４７】
記録の際には、例えばＣＳ又はＢＳデジタル放送の録画を行う際に録画エンコーダ／デコーダを含む画像／音声信号処理部５が、例えばＣＳ放送番組からの映像信号／音声信号をＢＤのディスクに記録できる形式に変換したり、例えばＢＤ装置３５に記録された信号を表示モニタに表示可能な形式に変換したりする。この際、ＢＤ装置３５の動作状況をＣＰＵ３に送る。これにより、ＣＰＵ３は、各ディスク装置の動作状況を適宜監視して適切な指示を与えることができる。
【００４８】
さらに、本実施の形態による記録再生装置Ａは、ＣＰＵ３と関連付けされ、ＣＰＵ３に後述する種々の処理を実行させるためのプログラムを格納するＲＯＭ７と、プログラムデータを展開して高速に処理するためのＲＡＭ１１とアンテナからの放送信号を入力したり、ディスク装置を駆動させた際に得られるコンテンツの信号やＤ映像などを例えば液晶ＴＶなどの表示モニタに出力したり、ＤＶカメラに接続するＩＥＥＥ（Institute of Electrical and Electronics Engineers）１３９４端子（ＤＶ端子）やインターネットなどに接続するＬＡＮ端子などを備え各種信号の入出力を制御するインターフェイス部１５と、を備えている。
【００４９】
さらに、前述のＲＣ受光部１７と、Ｂ−ＣＡＳカードスロット２１と、放熱効果を高めるための冷却ファン２３と、正面パネル２５ａを開閉するための正面パネル駆動部２５であって正面パネルの開閉の状態を検出する図示しない検出部を備える正面パネル駆動部２５と、各種入力操作を受け付ける入力部６１と、を有している。加えて、前述のディスク装置駆動制御部３７と、前述の正面パネル２５ａに設けられた表示部４０は、前述のように筐体１を横置きにした場合に横方向にある間隔をあけて配置され光学ディスクとハードディスクとを象徴する略円形の形状を有する第１表示部４１と、第２表示部４３・４５と、第３表示部４７と、を有しており、ＣＰＵ３により表示制御部５１を介して表示の制御が行われる。
【００５０】
同様に、上述した第４から第６までの表示部４８ａ〜４８ｃを兼ねる選択スイッチも、上記表示制御部５１を介してＣＰＵ３により表示制御がなされる。さらに各ディスク装置には、ディスクの有無や駆動状態等を検出する検出部３１ｃ、３５ｃがそれぞれ設けられており、対応する各ディスク装置内におけるメディアの有無や駆動状態等に関する信号が検出部３１ｃ、３５ｃからディスク駆動制御部３７を介してＣＰＵ３に送られるように構成されている。
【００５１】
ＣＰＵ３は、記録再生装置Ａの各機能部の動作並びに各機能部間のデータ通信を制御する。具体的には、ＣＰＵ３は、ＲＯＭ７等に記憶された動作用プログラムに従い、ＲＡＭ１１のワーキングメモリとして使用して、記録再生装置Ａにおいて必要な制御、演算及び各ドライブの処理を実行することができる。本実施の形態の特有の動作として、ＣＰＵ３は、ハイビジョン信号を検出するハイビジョン信号検出部と、ＢＤ又はＨＤＤのうち、いずれの記録媒体に対してハイビジョン信号を優先して記録するかをあらかじめ設定する設定部と、ハイビジョン信号が検出されたとき、設定された記録媒体のドライブ３１，３３，３５が記録を行うよう制御する制御部としての機能を有する。これらの機能は、後述する自動録画制御処理により実現される。
【００５２】
また、ＣＰＵ３には、ＯＳＤ（On Screen Display）機能部２７が接続され、チャンネル、時刻、音量などの情報やＢＤ自動録画モード設定・確認などのメッセージをテレビ等の画面上に表示する。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。
【００５３】
以下、上述のように構成された記録再生装置Ａの動作を説明する。
【００５４】
本実施の形態による記録再生装置Ａは、ＨＤＤ、ＢＤ及びＤＶＤの３ドライブ一体型搭載のレコーダであり、以下の基本的な特徴（１）〜（３）を有する。
【００５５】
（１）ＨＤＤ、ＢＤ及びＤＶＤの３ドライブ一体型搭載のレコーダであり、デジタル放送をハイビジョンのままＨＤＤやＢＤに録画・再生でき、デジタルハイビジョン放送をＨＤＤは勿論、ＢＤでもそのままの画質・音質で録画・再生できる。
（２）ＢＤ／ＤＶＤツイントレイの搭載により、（ＨＤＤ、ＢＤ、ＤＶＤ）間で６方向自在ダビングや同時録再が可能である。
（３）次世代のデジタルインターフェイス「ＨＤＭＩ出力端子」の搭載により、デジタル放送をデジタルのまま録画し、再生時もデジタルのままモニタに出力することができ、劣化のないフルデジタル処理の高画質・高音質が実現できる。
【００５６】
上記（１）〜（３）についてより具体的に説明する。
【００５７】
（１）ＨＤＤ、ＢＤ及びＤＶＤの３ドライブ一体型
図５に示すハードディスク装置３３が、例えば１６０ＧＢのハードディスク容量を搭載する構成である場合には、デジタルハイビジョン放送をそのままの高画質で約１３時間録画可能である。これはＢＳデジタル放送（２Ｍｂｐｓ）を録画したときの目安の時間である。
【００５８】
また、記録再生装置Ａは、地上デジタル、ＢＳ・１１０度ＣＳデジタルチューナを搭載（内蔵／外付け）可能である。地上デジタル、ＢＳ・１１０度ＣＳデジタルハイビジョンチューナを搭載する場合、デジタル放送のチューナとして使用できることは勿論のこと、デジタル放送のＥＰＧ（Electrical Program Guide：電子番組表）にも対応してデジタル放送を手軽に録画・録画予約することができる。
【００５９】
（２）ＢＤ／ＤＶＤツイントレイの搭載
ＨＤＤ、ＢＤ及びＤＶＤの３ドライブを備え、３つのメディア（ＨＤＤ、ＢＤ、ＤＶＤ）間で６方向相互ダビングが可能である。
【００６０】
図６は、記録再生装置Ａの６方向相互ダビングを説明する図である。図中、矢印の向きはドライブ・インタフェース間のダビングの方向（Ａ〜Ｌ）を示し、矢印の太さは使用シーンが多く重要度又は要求度が高いと想定される順（太矢印、細矢印、破線矢印の順で使用シーン又は重要度が高い）を示している。また、使用シーン又は重要度は図６中の印（重要度順に◎、○、△）によっても示される。
【００６１】
図６ａ．に示すように、ＨＤＤにハイビジョン録画をし、ＢＤにそのままの画質で残す場合がメインのダビング方向Ａである。この場合、ＢＤが最終保存先となる。また、ＨＤＤにハイビジョン録画しながらＢＤにも同時録画することも可能である。
【００６２】
また、図６ｂ．に示すように、３つのドライブを搭載することで、ＨＤＤ→ＢＤ，ＨＤＤ→ＤＶＤ，ＢＤ→ＨＤＤ，ＢＤ→ＤＶＤ，ＤＶＤ→ＨＤＤ，ＤＶＤ→ＢＤの６方向ダビングが初めて可能になった。これにより、複数枚のＤＶＤに録画したシリーズドラマなどを１枚のＢＤにして省スペースで保存したり、ＢＤに録画した番組を互換性の高いＤＶＤ−ＲＷやＤＶＤ−Ｒにダビングして友人に渡すなど、用途に合わせた使い方が可能になる。また、ＢＤにハイビジョン番組を録画しながらＤＶＤの映画ソフトを見る、といった同時録再も可能である。なお、１回だけ録画可能な番組は、ＨＤＤからのみＢＤ・ＤＶＤ・ｉ．ＬＩＮＫ機器ヘムーブ（移動）が可能である。ｉ．ＬＩＮＫ機器とは、ＩＥＥＥ１３９４規格に準拠した機器をいう。
【００６３】
ここで、１トレイの場合と２トレイの場合とを比較して説明する。まず、１トレイ時には、ＨＤＤ−ＤＶＤ間とＨＤＤ−ＢＤ間のそれぞれの双方向ダビングが可能であり、合計で４通りのデータの移動経路が考えられる。一方、２トレイの場合には、図６に示すようにＨＤＤ−ＤＶＤ間（Ｂ，Ｇ）とＨＤＤ−ＢＤ間（Ａ，Ｄ）とＤＶＤ−ＢＤ間（Ｅ，Ｈ）との計６通りのダビングが可能となり利便性が高いうえ、さらに２トレイの場合には一方の光学ディスクにアクセス中にもう一方の光学ディスクの挿脱が可能である。また、ＤＶＤ−ＢＤ間のダビングのみならず、ＤＶＤとＢＤとの同時録画が可能である。例えば、ＤＶＤには映像を、ダウンコンバータを介してＳＤ画質で記録し、ＢＤには同じ番組（１チューナでも可能）又は異なる番組（２チューナの場合）、ＨＤ画質の映像を記録することができる。これにより処理時間を短縮することができ、この際に同時にＨＤＤにも記録可能であるという利点がある。
【００６４】
なお、２チューナの場合には、ＢＤに映像を記録しながらＤＶＤ、ＨＤＤ間で追いかけ再生を行うことも可能である。例えば、ダビング中の追いかけ再生として、ＢＤのコンテンツを再生表示させつつこのコンテンツをＤＶＤに記録することも可能である。さらに、ＤＶＤからＢＤへのダビング中に、ＤＶＤも追いかけ再生することができる。例えばＢＤに記録されている映像を再生しながら、チューナで選局した放送番組をＤＶＤに記録することも可能である。
【００６５】
（３）ＨＤＭＩ出力端子搭載
録画・再生したデジタルハイビジョン番組の映像や５．１ｃｈ音声を、そのままのクオリティでデジタル信号のまま伝送できる次世代デジタルインターフェース「ＨＤＭＩ出力端子」を備える。ハイビジョン映像だけでなく、５２５ｉのＤＶＤ映像像等も１１２５ｉ／７５０ｐにアップコンバートして出力することも可能である。このＨＤＭＩ端子に、ＨＤＭＩ端子対応機器とＨＤＭＩケーブル１本で接続するだけでデジタル放送のハイビジョン高画質・高音質を実現できる。
【００６６】
以上が、ＨＤＤ、ＢＤ及びＤＶＤの３ドライブ一体型の記録再生装置Ａの基本的な特徴（１）〜（３）であるが、さらに以下の特徴（４）〜（１３）も有する。
【００６７】
（４）録画番組の出力
記録再生装置ＡのＨＤＤに録画した番組を、ｉ．ＬＩＮＫケーブルで接続したＤ−ＶＨＳビデオデッキやＡＶ−ＨＤＤにダビングすることが可能である。デジタル放送の１回だけ録画可能な番組はムーブにより他のメディアで保存することが可能である。
【００６８】
（５）ｉ．ＬＩＮＫ入力録画
Ｄ−ＶＨＳに録画しておいた番組を、記録再生装置ＡのＨＤＤに録画することができ、これにより録り溜めておいたＤ−ＶＨＳテープの内容をＨＤＤ上で編集したり、ＢＤに保存して省スペース化を図ることができる。
【００６９】
（６）他機からコントロール
他機から記録再生装置Ａを、ｉ．ＬＩＮＫを介してコントロールすることが可能である。例えば、ｉ．ＬＩＮＫ機器から記録再生装置Ａをコントロールしたり、他のデジタルハイビジョンレコーダでＨＤＤに録画したハイビジョン番組を記録再生装置ＡのＨＤＤに移動（ムーブ）することが可能である。
【００７０】
（７）ＤＶＣカメラからの高品位なダビングが可能な「ＤＶ入力」
ｉ．ＬＩＮＫによるＤＶ方式デジタルビデオカメラとの接続で高品位なデジタルダビングが可能です。リモコン装置ＲＣ（図４参照）でビデオカメラの再生／停止／早送り／巻戻しなどの操作も可能である。
【００７１】
（８）ＨＤＤからＢＤへ高速ダビング
ＨＤＤに録画した番組を画質劣化させることなく、ＢＤへ最大約○倍速で高速ダビング（ＥＰモードで録画時）することが可能である。
【００７２】
（９）タイムシフト視聴
ハイビジョン番組を視聴中、任意の時間（３０分／６０分／９０分より選択）で自動録画が可能である。見ている番組を一旦停止したり、前にさかのぼって見直すことができる。
【００７３】
（１０）追いかけ再生
ハイビジョン番組の録画中でも、録画終了を待たずに、録っている番組を同じハイビジョン画質の高品位なクオリティで最初から視聴することができる。
【００７４】
（１１）ハイビジョン番組編集
データ量が多く高速処理が必要な、ハードディスクやＢＤに録画したハイビジョン番組の編集に対応。不要なシーンを、チャプター単位または部分消去によりカットできる。これにより必要なシーンのみを編集後ダビングして残すことが可能である。
【００７５】
（１２）幅広いＤＶＤディスクが再生可な「ＤＶＤスーパーマルチ再生」
ＤＶＤ−ＲＷ／−Ｒ／＋ＲＷ／＋Ｒに加えて、ＤＶＤ−ＲＡＭの再生にも対応。友人から借りてきたＤＶＤディスクなど、フォーマットを気にせず視聴することができる。
【００７６】
（１３）多彩な録画モード
ＨＤＤやＢＤにはデジタル放送の画質をそのまま録画できるＡＵＴＯモードに加えて、ＤＶＤを超える高画質のＳＸＰモードを含む１３段階から画質が選択できるマニュアルモードを備える。また、ＤＶＤ−ＲＷ／−Ｒでは３２段階から録画モードの選択が可能で、ディスク容量や番組内容に合わせ録画モードを選択することができる。
【００７７】
上記のように構成された本実施の形態の記録再生装置Ａにおいて、ＡＶデータをＨＤＤ、ＢＤ及びＤＶＤに記録（一般的には「録画」と言われる）することができる。録画モードには、自動録画モードとマニュアル録画モードとがあり、ユーザが録画モードを選択することができる。
【００７８】
図７は、記録再生装置ＡのＨＤＤ、ＢＤ及びＤＶＤの３ドライブにＡＶデータを記録する記録モードと録画時間を示す図であり、リモコン装置ＲＣの録画モードボタンで選択する録画モードを示す。
【００７９】
図７（Ａ）のＨＤＤ録画及び図７（Ｂ）のＢＤ録画には、デジタル放送の画質をそのまま録画できるＡＵＴＯモード、ＤＶＤを超える高画質のＳＸＰモード備える。また、図７（Ａ）〜（Ｃ）において、ＨＤＤ、ＢＤ及びＤＶＤは高画質（ＸＰ）モード、標準（ＳＰ）モード、長時間２倍（ＬＰ）モード、長時間３倍（ＥＰ）モードを備える。ユーザは、ディスク容量や番組内容に合わせて、ＨＤＤ、ＢＤ及びＤＶＤのいずれか（又は同時に複数）を選択できるとともに、ＨＤＤ、ＢＤ又はＤＶＤのそれぞれにおいて図７に示す録画モードを選択することができる。
【００８０】
図８及び図９は、記録再生装置ＡのＨＤＤ、ＢＤ及びＤＶＤの３ドライブにＡＶデータを記録するマニュアル記録モードと録画時間を示す図であり、図８（Ａ）はＨＤＤ録画、図８（Ｂ）はＢＤ録画、図９（Ｃ）はＤＶＤ−ＲＷ（ＶＲフォーマット）録画、図９（Ｄ）はＤＶＤ−ＲＷ（ビデオフォーマット）／ＤＶＤ−Ｒ録画を示す。
【００８１】
ユーザがリモコン装置ＲＣのマニュアルモードボタンでマニュアルモードを選ぶと、３２段階から画質を選択することができる。図８及び図９において、画質が大きく変わる録画モードを太線で示している。マニュアル録画モードでは、録画する映像のデータ量に応じて記録するデータ量を変化させるＶＢＲ（Variable bit rate）を採用しているため、録画する映像によって録画可能時間も変化する。なお、マニュアルモードの画質段階は一例でありこれに限定されない。
【００８２】
次に、記録再生装置Ａの記録動作を説明する。
【００８３】
図１０は、記録再生装置ＡのＢＤ自動記録動作を示すフローチャートであり、図５のＣＰＵ３により実行される。図中、Ｓはフローの各ステップを示す。
【００８４】
まず、ステップＳ１でＢＤ自動録画モードにあるか否かを判別する。ＢＤ自動録画モードは、ハイビジョン信号をＢＤに自動録画するためのモードであり、ＨＤＤ、ＢＤ及びＤＶＤの３ドライブを備える記録再生装置Ａにより初めて実現可能となった。ＢＤ自動録画モード設定の詳細については図１３により後述する。ＢＤ自動録画モードにないときは、ステップＳ１０で録画データをハイビジョンでＨＤＤに録画して本フローを終了する。ＢＤ自動録画モードにあるときは、ステップＳ２でＢＤ自動録画条件を満たしているか否かを判別する。ＢＤ自動録画条件とは、現在の記録再生装置Ａがハイビジョン録画をできる機器状態にあるかを判定する条件である。例えば、放送信号がハイビジョン信号であるか、ＢＤディスク（以下、単にＢＤという）がトレイに入っているかなどである。ＢＤ自動録画条件にあるときは、ステップＳ３でトレイに挿入されているＢＤの残容量を検出し、ステップＳ４でこのＢＤに予約録画が全編入るか否かを判別する。ＢＤに予約録画が全編入るときは、ステップＳ６で予約録画終了か否かを判別し、予約録画終了までＢＤ録画を継続し、予約録画完了により本フローを終了する。
【００８５】
上記ステップＳ２でＢＤ自動録画条件にないときは、ステップＳ７でダウンコンバートを行うか否かを判別し、ダウンコンバートを行う場合はステップＳ８でダウンコンバート処理を行って本フローを終了する。このダウンコンバート処理の詳細については、図１１及び図１２により後述する。ダウンコンバートを行わない場合は、ステップＳ９でフラグに“１”を立ててステップＳ１０に進む。このフラグは、ハイビジョンで録画すべきデータがＢＤに録画されず、またダウンコンバート処理もされなかったことを示すものである。ここではフラグとして説明したが、予約録画が複数ある場合はその夫々の録画すべきデータの有無を示すステータスフラグである。
【００８６】
ステップＳ１０では、録画データをハイビジョンでＨＤＤに録画して本フローを終了する。
【００８７】
本フローを実行することにより、デジタル放送をハイビジョンのままＨＤＤ又はＢＤに録画できる。特に、ＢＤ自動録画モードに設定されているときは、録画データはハイビジョンでＢＤ側に優先して録画される。これにより、ユーザが特別な操作を行うことなく、ハイビジョン信号はＢＤに自動録画される。ハイビジョン信号が最初からＢＤに自動録画されるので、後でユーザがＨＤＤからＢＤに画像データを転送又は移動（ムーブ）する手間と時間を省略することができる。
【００８８】
また、ＢＤディスクが入っていない場合やＢＤに残容量がない場合などはＤＶＤ又はＢＤに自動的にダウンコンバート録画される。また、ＢＤ自動録画モードに設定されてる状態でＢＤ録画又はダウンコンバート録画のいずれもユーザが選択しない場合はハイビジョンでＨＤＤに録画される。この場合のＨＤＤ録画は、ＢＤ自動録画モードに設定しないで最初からＨＤＤに録画する場合と区別して、仮録画としてステータスフラグが付けられてＨＤＤに記録される。
【００８９】
図１１及び図１２は、ダウンコンバート処理を示すサブルーチンであり、図１０のステップＳ８又は後述する図１３のステップＳ３５のサブルーチンコールにより呼び出されて実行される。
【００９０】
まず、ステップＳ１０１でダウンコンバート設定テーブルで自動実行が設定されているかを判別する。ダウンコンバート設定テーブルは、ダウンコンバート条件をあらかじめ設定しておくもので、後述する図１５により設定される。ダウンコンバート設定テーブルで自動実行が設定されていると、ユーザの確認を待たずにＤＶＤへのダウンコンバートが直ちに実行される。ダウンコンバート設定テーブルで自動実行が設定されていない場合は、ステップＳ１０２でダウンコンバート実行確認メッセージをＯＳＤ表示する。ダウンコンバート実行確認メッセージは、ダウンコンバートする記録媒体（ＢＤ又はＤＶＤ）の選択とダウンコンバートのレート選択（画質選択）を含む。デフォルトでは、「ＤＶＤダウンコンバート」「高画質」である。図１６は、ＴＶ表示部（図示せず）の放送画面１７０に表示されたダウンコンバートをする旨のメッセージ１７１の一例を示す図である。図１６に示すように「予約録画をハイビジョンで番組終了まで録画することができません。ダウンコンバータにすると全編の録画が可能です。ダウンコンバートの設定方法は△△です」、「ＤＶＤにできるだけ高画質でダウンコンバートします。これでよろしいですか。」などのメッセージをＯＳＤ表示する。さらに、発音装置としてＣＰＵ３からの出力信号をデジタル信号処理する音声コーデックを設置する構成でもよい。音声コーデックは、ＰＣＭ（Pulse Code Modulation）音源ＩＣ等により構成され、ＣＰＵ３から受け取った信号を音声信号に変換してスピーカから出力する。この場合、ＯＳＤ表示と音声によるメッセージを併用してもよい。
【００９１】
ステップＳ１０３でダウンコンバートを実行するか否かを判別し、ダウンコンバートを実行しない場合は本サブルーチンを終了し、図１０のステップＳ８又は図１３のステップＳ３５に戻る。ＢＤダウンコンバートを実行する場合は、ステップＳ１０４でＢＤがトレイに入っているか否かを判別し、ＢＤがトレイに入っていないときはステップＳ１０５でＢＤの挿入を促すメッセージ「ＢＤをトレイに入れてください。」をＯＳＤ表示する。ステップＳ１０４でＢＤがトレイに入っているとき、あるいはステップＳ１０６でＢＤがトレイに挿入されると、ステップＳ１０７でＢＤの残容量を検出する。次いで、ステップＳ１０８でＢＤにできる限り高画質となるビットレートの録画モードでダウンコンバート録画し、ステップＳ１０９でＢＤダウンコンバート録画が完了したか否かを判別する。ＢＤダウンコンバート録画が完了した場合には、ステップＳ１１０でダウンコンバート終了メッセージをＯＳＤ表示して本サブルーチンを終了し、図１０のステップＳ８又は図１３のステップＳ３５に戻る。
【００９２】
一方、上記ステップＳ１０１でダウンコンバート設定テーブルで自動実行が設定されている場合、あるいは上記ステップＳ１０３でＤＶＤダウンコンバートを実行する場合はステップＳ１１１に進む。すなわち、ダウンコンバート設定テーブルで自動実行が設定されている場合は上記ステップＳ１０２のＯＳＤ表示及び上記ステップＳ１０３のユーザ確認を省略してＤＶＤダウンコンバート処理に進む。これにより、ユーザにダウンコンバート実行の確認を強いることなく一連のＤＶＤダウンコンバートが進行する。
【００９３】
ステップＳ１１１でＤＶＤがトレイに入っているか否かを判別し、ＤＶＤがトレイに入っていないときはステップＳ１１２でＤＶＤの挿入を促すメッセージ「ＤＶＤをトレイに入れてください。」をＯＳＤ表示する。ステップＳ１１１でＤＶＤがトレイに入っているとき、あるいはステップＳ１１３でＤＶＤがトレイに挿入されると、ステップＳ１１４でＤＶＤの残容量を検出する。次いで、ステップＳ１１５でＤＶＤにできる限り高画質となるビットレートの録画モードでダウンコンバート録画し、ステップＳ１１６でＤＶＤダウンコンバート録画が完了したか否かを判別する。ＤＶＤダウンコンバート録画が完了した場合には、ステップＳ１１７でダウンコンバート終了メッセージをＯＳＤ表示して本サブルーチンを終了し、図１０のステップＳ８又は図１３のステップＳ３５に戻る。
【００９４】
図１３及び図１４は、ＨＤＤ録画データをＢＤに書き戻す録画データ書き戻し処理を示すフローチャートである。
【００９５】
まず、ステップＳ２１でＢＤ自動録画モードにあるか否かを判別し、ＢＤ自動録画モードにあるときはステップＳ２２でＨＤＤにフラグ“１”の録画データがあるか否かを判別する。ＢＤ自動録画モードにないとき、あるいはＨＤＤにフラグ“１”の録画データがなていときは本フローを終了する。ＨＤＤにフラグ“１”の録画データがある場合は、ＨＤＤに仮録画データがあると判断してステップＳ２３でＨＤＤ録画データをＢＤに移す旨のメッセージを報知する。例えば「ＨＤＤの録画データをＢＤに移しますか？約○○分かかります。」、「ＨＤＤの録画データをダウンコンバートしてＤＶＤに記録しますか？約○○分かかります。」等のメッセージをＯＳＤ表示する。また、音声メッセージを併用する態様でもよい。
【００９６】
ステップＳ２４でＨＤＤからＤＶＤダウンコンバートか否かを判別し、ＤＶＤダウンコンバートのときはステップＳ３５で該当録画データのステータスフラグを降ろし（“０”にし）、ステップＳ３６でダウンコンバート処理（図１１及び図１２サブルーチン参照）を実行して本フローを終了する。なお、本実施の形態の記録再生装置Ａは、デジタル放送をハイビジョンのままＨＤＤ及びＢＤに録画できることを特徴としており、ＨＤＤのハイビジョン録画データはＢＤに、またＢＤのハイビジョン録画データはＨＤＤに双方向で移動又はダビングできるが、ＤＶＤに録画する場合はダウンコンバートが必要となる。本実施の形態では、ＨＤＤにハイビジョンで録画されているデータを、ハイビジョン録画可能なＢＤにダウンコンバートする使用方法は少ないとの観点から、ステップＳ２４でＨＤＤからＤＶＤダウンコンバートとしているが、ダウンコンバートする媒体を選択できるようにしてもよい。
【００９７】
上記ステップＳ２４でＨＤＤからＤＶＤダウンコンバートでないときはステップＳ２５でＨＤＤからＢＤにハイビジョン録画データ移動か否かを判別し、ＨＤＤ→ＢＤハイビジョン録画データ移動のときは、ステップＳ２６でＢＤがトレイに入っているか否かを判別し、ＢＤがトレイに入っていないときはステップＳ２８でＢＤの挿入を促すメッセージ「ＢＤをトレイに入れてください。」をＯＳＤ表示する。ステップＳ２６でＢＤがトレイに入っているとき、あるいはステップＳ２８でＢＤがトレイに挿入されると、ステップＳ２９でＨＤＤからＢＤにハイビジョン録画データ移動がＯＫか否かを判別する。ハイビジョン録画データ移動には、ある程度の所要時間を要するため、ユーザに確認を求める。例えば「いまからＨＤＤの録画データをＢＤに移します。約○○分かかりますがよろしいですか？後で録画データを移す場合は、以下のメニューを選んでください。」などのメッセージをＯＳＤ表示し、ユーザに確認する。後で録画データを移す場合は、ステップＳ３０でその実行指示がなされた時間又は条件（例えば、夜間ユーザが放送番組を視聴していない時、ユーザ外出時などのユーザ指定時）になるまで待機する。また、ＨＤＤ→ＢＤハイビジョン録画データ移動の中止の場合はそのまま本フローを終了する。
【００９８】
ＨＤＤからＢＤにハイビジョン録画データ移動が実行可能になると、ステップＳ３１で録画データをハイビジョンでＨＤＤからＢＤに移動し、ＨＤＤ→ＢＤ録画データ移動が完了したか否かを判別する。ＨＤＤ→ＢＤ録画データ移動が完了したときは、ステップＳ３３でデータ移動した録画予約などの録画データに関するフラグを“０”にし、ステップＳ３４でＨＤＤ→ＢＤ移動終了をＯＳＤ表示して本フローを終了する。
【００９９】
一方、上記ステップＳ２５でＨＤＤ→ＢＤハイビジョン録画データ移動でないときは、現在ＢＤ自動録画モードにあり、かつＨＤＤに仮録画データがあるにもかかわらずＨＤＤ→ＢＤハイビジョン録画データ移動の指示がなされなかったときであるからステップＳ３７でＨＤＤにハイビジョン録画データ有のメッセージ、例えば「ＨＤＤにハイビジョン録画データがあります。このままＨＤＤに残しますか？ＨＤＤに録画データを移す場合は、○○を、ＢＤに移動する場合は△△を、ＤＶＤにダウンコンバートする場合は××を選択してください。」などのメッセージをＯＳＤ表示する。次いで、ステップＳ３８でＨＤＤのハイビジョン録画データを指示があるまで保存する場合はそのまま本フローを終了し（フラグ“１”が保持される）、ＨＤＤのハイビジョン録画データを保存しない場合は、ステップＳ３９で録画予約などの録画データに関するフラグを“０”にして本フローを終了する。
【０１００】
図１５は、ＢＤ自動録画モード設定の動作を示すフローチャートである。
【０１０１】
まず、ステップＳ４１でＢＤ自動録画モード設定画面をＯＳＤ表示し、ステップＳ４２でユーザ設定入力を待つ。ユーザ設定が終了すると、ステップＳ４３でダウンコンバート設定画面をＯＳＤ表示し、ステップＳ４４でユーザ設定入力を待つ。ステップＳ４５では、ユーザ設定されたＢＤ自動録画モード及びダウンコンバート設定をテーブルデータとして保存する。このテーブルデータは、例えばＣＰＵ３の不揮発性メモリ領域に記憶する。記録再生装置Ａは、ＨＤＤ、ＢＤ及びＤＶＤ間で６方向自在ダビングや同時録再が可能な特徴を有するが、その特徴をより活かすため、ユーザの使用形態をあらかじめ設定しておき、記録操作等を支援するＢＤ自動録画モードを用意する。一例を挙げると、「０．ＢＤ自動録画モードを使用する」「１．ハイビジョン信号をＢＤに自動録画する」「２．ＢＤがない場合はＨＤＤに仮録画する」「３．ＤＶＤにダウンコンバートする」などの各項目、その詳細情報がＯＳＤ表示され、ユーザがそれら各項目や記録媒体などをあらかじめ選択・設定しテーブルに保しておく。ＢＤ自動録画モード設定後、例えばハイビジョン信号が記録再生装置Ａに入力されると、ＨＤＤに録画することなく直接ＢＤに自動録画される（これは設定の一例であり、ＨＤＤ・ＢＤ同時録画、ＨＤＤ録画のみも可能である）。その際、ユーザに報知するＯＳＤ表示とその確認指示を省略する設定も可能である。また、ダウンコンバート設定は、ダウンコンバート実行条件・ダウンコンバート記録媒体の優先順位などをあらかじめ設定する。
【０１０２】
なお、ＢＤ自動録画モード設定及びダウンコンバート設定は、あくまでもユーザ操作の簡略化を図り使用勝手を向上させるためのものであり、モード設定された機能が優先順位上位にくるだけである。ＢＤ自動録画モード設定を行ってもあるいは行わなくても使用形態・機能が制限されるわけではない。
【０１０３】
以上のように、本実施の形態の記録再生装置Ａは、ＨＤＤ、ＢＤ及びＤＶＤの３ドライブを備え、ＣＰＵ３は、ＢＤ又はＨＤＤのうち、いずれの記録媒体に対してハイビジョン信号を優先して記録するかをＢＤ自動録画モードとしてあらかじめ設定し、ハイビジョン信号が検出されたとき、ＨＤＤ、ＢＤ及びＤＶＤのドライブ３３，３５，３１が記録を行うよう制御する。第１の実施の形態では、ＢＤ自動録画モードに設定されているときは、録画データはハイビジョンでＢＤ側に優先して録画される。ハイビジョン信号が最初からＢＤに自動録画されるので、後でユーザがＨＤＤからＢＤに画像データを転送又は移動（ムーブ）する手間と時間を省略することができる。また、ＢＤディスクが入っていない場合やＢＤに残容量がない場合などはＤＶＤ又はＢＤに自動的にダウンコンバート録画される。このように、記録再生装置Ａの録画に関してハイビジョン信号がユーザの意向にあった記録媒体に自動的に録画され、ＢＤに残容量がない場合にはダウンコンバートして録画、又はＨＤＤに仮録画して記録され、適当な時間・条件でＢＤに書き戻されるなど、ハイビジョン信号記録可能なＨＤＤ、ＢＤ及びＤＶＤの３ドライブ一体型搭載のレコーダの特徴を活かした使用方法が実現でき、使い勝手を格段に向上させることができる。
【０１０４】
なお、本実施の形態では、ＨＤＤに仮録画する態様を示したが、図６に示すように、ｉ．ＬＩＮＫ接続された外部ＢＤ又はＨＤＤ機器に録画続行することも勿論可能であり、同様の効果を得ることができる。
【０１０５】
また、本実施の形態では、ハイビジョン信号を記録可能な第１及び第２の記録媒体として、ＨＤＤ又はＢＤがは、第１及び第２の記録媒体に対応している。より具体的には、ＢＤが第１の記録媒体に、ＨＤＤが第２の記録媒体に対応しているが、この組み合わせに限定されるものではない。
【０１０６】
第２の実施の形態
本実施の形態の記録再生装置は、放送信号のハイビジョン信号をＢＤに自動記録する際、ＢＤディスクが一杯になったときＨＤＤに継続記録し、ＨＤＤに記録中にＢＤディスクを交換し、ＨＤＤに継続記録したハイビジョン信号をＢＤディスクに自動転送する制御を行う例である。
【０１０７】
本実施の形態の記録再生装置のハード的構成は、第１の実施の形態の図１乃至図５と同一であるため説明を省略する。
【０１０８】
図１７及び図１８は、本発明の第２の実施の形態の記録再生装置ＡのＢＤ自動記録動作を示すフローチャートである。
【０１０９】
まず、ステップＳ５１でＢＤ自動録画モードにあるか否かを判別する。ＢＤ自動録画モードは、ハイビジョン信号をＢＤに自動録画するためのモードであり、ＢＤ自動録画モード設定の詳細については図１３により説明した。ＢＤ自動録画モードにあるときは、ステップＳ５２でＢＤ自動録画条件を満たしているか否かを判別する。ＢＤ自動録画条件とは、現在の記録再生装置Ａがハイビジョン録画をできる機器状態にあるかを判定する条件である。例えば、放送信号がハイビジョン信号であるか、ＢＤディスクがトレイに入っているかなどである。
【０１１０】
ステップＳ５３では放送信号の種別を取得し、ステップＳ５４で放送信号がハイビジョン信号か否かを判別する。放送信号がハイビジョン信号のときは、ステップＳ５５でハイビジョン予約録画の指定があるか否かを判別し、ハイビジョン予約録画の指定があるときはステップＳ５６でＢＤディスクの残容量を検出する。ここまでの処理で、上記ステップＳ５１でＢＤ自動録画モードにないとき、上記ステップＳ５２でＢＤ自動録画条件を満たしていないとき、上記ステップＳ５４で放送信号がハイビジョン信号でないとき、あるいは上記ステップＳ５５でハイビジョン予約録画の指定がないときは、ＢＤ自動記録動作の実行条件にないと判断して本フローを終了する。
【０１１１】
ステップＳ５６では、ＢＤディスクの残容量を検出し、ステップＳ５７でＢＤに予約録画をハイビジョンで録画する。次いで、ステップＳ５９で予約録画が終了したか否かを判別し、予約録画が終了したときは、ＢＤにハイビジョンで録画できた場合であるからそのまま本フローを終了する。予約録画が終了していないときは、ステップＳ５９でＢＤディスクの残容量が一杯になったか否かを判別し、ＢＤディスクの残容量が一杯でなければステップＳ５７に戻ってＢＤへのハイビジョン録画を継続する。
【０１１２】
ＢＤディスクの残容量が一杯になったときは、ステップＳ６０でＢＤディスクが一杯になった時点でＢＤディスクに録画できなかった予約録画の継続録画データ（以下、継続録画データという）をハイビジョンでＨＤＤに録画する。次いで、ステップＳ６１で予約録画が終了したか否かを判別し、予約録画が終了したときは、ＨＤＤに継続録画データをハイビジョンで録画し終えたときであるからステップＳ６２で継続録画データの記憶容量を検出する。ここまでの処理で、ＢＤディスクが一杯になると継続録画データがＨＤＤに自動的に継続記録される。以下、ＨＤＤに録画した継続録画データをＢＤディスクに自動転送する処理を行う。
【０１１３】
まず、ステップＳ６３でＢＤディスクの交換メッセージをＯＳＤ表示する。交換メッセージは、例えば「ＢＤディスクが一杯になりました。新しいＢＤディスクを入れてください。」「ＢＤディスクに録画しない場合は、ＤＶＤにダウンコンバートすることもできます。ダウンコンバートする場合は、このメッセージを終了して、ＢＤ自動録画モードからダウンコンバート操作を行ってください。」などである。ダウンコンバート処理については、図１２及び図１３により説明した。また、ダウンコンバートを用いた全編録画方法については第３の実施の形態により後述する。
【０１１４】
ステップＳ６４では、ＨＤＤからＢＤにハイビジョン継続録画データ移動がＯＫか否かを判別する。ハイビジョン録画データ移動には、ある程度の所要時間を要するため、ユーザに確認を求める。例えば「いまからＨＤＤの録画データをＢＤに移します。約○○分かかりますがよろしいですか？後で録画データを移す場合は、以下のメニューを選んでください。」などのメッセージをＯＳＤ表示し、ユーザに確認する。また、ＨＤＤ→ＢＤハイビジョン録画データ移動の中止の場合はそのまま本フローを終了する。
【０１１５】
ＨＤＤ→ＢＤハイビジョン継続録画データ移動がＯＫときは、ステップＳ６５でＢＤがトレイに入っているか否かを判別する。ＢＤがトレイに入っていないときはステップＳ６３でＢＤの挿入を促すメッセージ「ＢＤをトレイに入れてください。」をＯＳＤ表示する。ＢＤがトレイに入っているとき、あるいはステップＳ６５でＢＤがトレイに挿入されると、ステップＳ６６でＢＤに継続録画データが録画できる空き容量があるか否かを判別し、継続録画データがすべて録画できなければステップＳ６３に戻って十分な空き容量のＢＤの挿入を促すメッセージ「ＢＤディスクの空き容量が不足しています。約○○分の継続録画時間となります。新しいＢＤディスクを入れるか、キャンセルをしてください。」などのメッセージをＯＳＤ表示する。ＢＤに継続録画データが録画できる場合は、ステップＳ６７でＨＤＤに継続記録された録画データをＢＤに移し、ステップＳ６８でＨＤＤからＢＤへの継続録画データ移動をＯＳＤ表示する。
【０１１６】
ステップＳ６９では、ＨＤＤからＢＤに継続録画データ移動が完了したか否かを判別する。ＨＤＤからＢＤに継続録画データ移動が完了していなければ、ステップＳ６７にもとって継続録画データ移動及びＯＳＤ表示を続ける。ＨＤＤからＢＤに継続録画データ移動が完了すると、ステップＳ７０でＨＤＤからＢＤへの継続録画データ移動完了ＯＳＤ表示して本フローを終了する。このメッセージは、例えば「ＢＤディスクに継続録画データの移動が終了しました。指定された予約録画は２枚のＢＤディスクに入っています。」など継続記録されていることを報知することが好ましい。
【０１１７】
一方、上記ステップＳ５８で予約録画終了したときは、ＢＤに全編がＢＤディスクに収録された場合でありＨＤＤへの録画は必要ないと判断して本フローを終了する。また、上記ステップＳ６４でＨＤＤからＢＤにハイビジョン継続録画データ移動がＯＫでないときは、ユーザの意向により中止された場合であるからそのまま本フローを終了する。
【０１１８】
このように、本実施の形態の記録再生装置によれば、放送信号のハイビジョン信号をＢＤに自動記録する際、ＢＤディスクが一杯になったときＨＤＤに継続記録し、ＨＤＤに記録中にＢＤディスクを交換し、ＨＤＤに継続記録したハイビジョン信号をＢＤディスクに自動転送して戻すことができる。
【０１１９】
第３の実施の形態
本実施の形態の記録再生装置は、放送信号のハイビジョン信号をＢＤに自動記録する際、ＢＤディスクに全部入らないときは、ダウンコンバートして全編を１枚のＢＤディスクに録画する制御を行う例である。
【０１２０】
本実施の形態の記録再生装置のハード的構成は、第１の実施の形態の図１乃至図５と同一であるため説明を省略する。
【０１２１】
本実施の形態では、図５のＣＰＵ３が更にＣＭ検出、シーンチェンジ検出機能を有している。放送信号に重畳されている番組付帯情報にＣＭ情報が含まれている場合、又はインターネットからＣＭ情報をダウンロードできる場合には、ＣＰＵ３はこれらの情報からＣＭ検出を行う。実際には必ずしもＣＭ情報が放送信号等に重畳されて供給されるとは限らない。そこで、ＣＰＵ３は映像及び音声信号からなるテレビジョン放送信号からＣＭを検出する。(1)ステレオ放送〔ＣＭ〕とモノラル放送又は２カ国語放送〔本編〕との放送方式の違いからＣＭを検出する、(2)音声信号の無音声区間中の映像信号から画像のシーンチェンジ点を検出しその規則性からＣＭを検出する、方法がある。上記(1)の方法は、簡便にＣＭ検出が検出できるが本編がステレオ放送である場合には検出できない。上記(2)の方法は少し処理が複雑になるが精度良くＣＭ検出できる。本実施の形態及び後述する各実施の形態では、ＣＭ検出における画像表示制御精度を担保するため、上記(2)の方法を採用する。但し、放送信号に重畳されている番組付帯情報からＥＰＧ，ＣＭ情報を確実に取得できる場合には本処理は省略又はスキップが可能である。
【０１２２】
図１９は、本発明の第３の実施の形態の記録再生装置ＡのＢＤ自動記録動作を示すフローチャートであり、図１７のフローと同一処理を行うステップには同一ステップ番号を付して説明を省略する。
【０１２３】
ステップＳ５６でＢＤディスク残容量を検出すると、ステップＳ７１でＢＤディスクに予約録画全編が録画できるか否かを判別する。ＢＤディスクに予約録画全編が録画できるか否かは、ＢＤディスク残容量とハイビジョン予約録画時間から算出することができる。ＢＤディスクに予約録画全編が録画可能なときは、ステップＳ７２で予約録画全編をハイビジョンでＢＤ録画し、ステップＳ７３で予約録画終了か否かを判別し、予約録画を終了するまでハイビジョンでＢＤ録画を継続する。予約録画終了により本フローを終了する。
【０１２４】
一方、上記ステップＳ７１でＢＤディスクに予約録画全編が録画できないときは、ステップＳ７４の全編録画処理に移行して本フローを終了する。
【０１２５】
図２０は、全編録画処理を示すサブルーチンであり、図１９のステップＳ７４のサブルーチンコールにより呼び出されて実行される。
【０１２６】
まず、ステップＳ２０１でダウンコンバート切替予定時間を設定する。このダウンコンバート切替予定時間について述べる。予約録画全編がＢＤディスクに全部入らないときには、ダウンコンバートして１枚のＢＤディスクに収録する。ダウンコンバートにより画質はハイビジョンのときより落ちる。また、図７及び図９に示すように、ダウンコンバートには、複数のビットレートによる録画モードが存在しビットレートの高い録画モードほど画質はよくなるが録画可能時間は短くなる。そこで本実施の形態では、ハイビジョン録画からダウンコンバートする場合であってもできるだけ画質を落とさず高画質となるようにハイビジョンからダウンコンバートへの切替タイミングを、ダウンコンバート切替予定時間として自動設定するものである。ハイビジョンはきわめて高画質・高精細であるため、ダウンコンバートに切り替わったとき、ダウンコンバートの録画モードが高画質でないと、ユーザはハイビジョンからダウンコンバートへ切り替わった時に画質低下が強く印象付けられてしまう。その一方で、ＢＤディスクにはなるべく長時間ハイビジョンで録画したい要望がある。例えば、ハイビジョンでＢＤディスクに残容量が少ない時点まで録画してしまうと、残りの予約録画部分はビットレートの低い（画質の劣る）モードでダウンコンバートして録画しなければならない。本実施の形態では、１枚のＢＤディスクに録画される映像が、できるだけ高画質となりかつ切替え点が目立たないようなダウンコンバート切替予定時間をステップＳ２０１で設定し、このダウンコンバート切替予定時間でハイビジョンからダウンコンバートへの切り替えを行う。一例として、ダウンコンバートは最高画質の録画モードとし、この最高画質の録画モードによって１枚のＢＤディスクに予約録画全編が録画できる限界の時点までハイビジョン録画を継続する。ステップＳ２０１では、ＢＤディスクの残容量と全編の予約録画時間、及び上記ダウンコンバートの録画モードの組み合わせによりダウンコンバート切替予定時間が算定される。
【０１２７】
図２０のフローに戻って、予約録画の最初はハイビジョン録画か否かを判別し、予約録画の最初からハイビジョン録画のときはステップＳ２０３でＢＤにハイビジョン録画する。次いで、ステップＳ２０４でダウンコンバート切替予定時間に先立つ準備期間であるか否かを判別する。本実施の形態では、ダウンコンバート切替予定時間に先立って、準備期間を設け、この準備期間中に、ハイビジョンからダウンコンバートへの切替えが目立たないタイミングがあるか否かを判別するものである。切替えが目立たないタイミングとして、例えばＣＭ時、シーンチェンジ時を用いているがこれには限定されない。
【０１２８】
ダウンコンバート切替予定時間の準備期間中において、ステップＳ２０５でＣＭ中か否かを判別し、ＣＭ中でなければステップＳ２０６でシーンチェンジか否かを判別する。シーンチェンジでなければ、ステップＳ２０７でダウンコンバート切替予定時間が経過したか否かを判別し、ダウンコンバート切替予定時間が経過していなければステップＳ２０４に戻る。
【０１２９】
上記ステップＳ２０７でダウンコンバート切替予定時間になったときは、ステップＳ２０８でハイビジョンからダウンコンバート録画に切替える。ダウンコンバート切替予定時間の準備期間中に、ＣＭ時又はシーンチェンジが検出されたときは、ダウンコンバート切替予定時間を待たずにステップＳ２０８に進み、ダウンコンバート録画に切替える。これにより、ハイビジョンからダウンコンバートへの切替えが目立ちにくいＣＭ時、又はシーンチェンジ時にダウンコンバートに切替えられ、ユーザにとってダウンコンバートによる画質低下感を避けることができる。
【０１３０】
ステップＳ２０９では、ダウンコンバートにより予約録画全編を１枚のＢＤに録画し、ステップＳ２１０でＢＤダウンコンバート録画が完了したか否かを判別し、録画が完了するまでＢＤダウンコンバート録画を続ける。ＢＤダウンコンバート録画が完了すると、ステップＳ２１１でダウンコンバート録画終了メッセージをＯＳＤ表示して図１９のステップＳ７４に戻る。ダウンコンバート録画終了メッセージでは、「ダウンコンバートによる録画が終了しました。」に加え、「予約録画がＢＤディスクに全部入らないので、ダウンコンバートして全編を１枚のＢＤディスクに録画しました。」などのメッセージを表示することが好ましい。
【０１３１】
このように、本実施の形態の記録再生装置によれば、放送信号のハイビジョン信号をＢＤに自動記録する際、ＢＤディスクの残容量を検出し、ＢＤディスクに全部入らないときは、ダウンコンバートして全編を１枚のＢＤディスクに録画するので、全編を１枚のＢＤディスクに録画することができる。
【０１３２】
なお、上述した実施形態及では、ハイビジョン信号を記録する記録媒体としてＢＤを用いる例で説明したが、ＢＤの替わりにＨＤ ＤＶＤを用いることも可能である。この場合はＢＤドライブ部の構成をＨＤ ＤＶＤに対するデータ処理に合致した構成に変更することが必要である。
【０１３３】
さらに、上述した実施形態及び各変形例において、第１の光ディスク装置に、ＤＶＤ以外の着脱タイプの記録媒体を適用することが可能であり、例えば、各種磁気テープ、ＤＶＤ以外の光ディスク、半導体メモリ、及び着脱タイプのハードディスクドライブ等を第１記録媒体として適用できる。このように第１記録媒体をＤＶＤ以外の上述した着脱タイプの記録媒体に変更する場合は、ＤＶＤドライブ部の構成を、変更する記録媒体に対する制御部に合致した構成のドライブ部に置き換えることが必要である。
【０１３４】
また、第１の光ディスク装置に適用できるＤＶＤ以外の光ディスクには、ＢＤ及びＨＤＤＶＤも勿論含まれており、第１記録媒体及び第２記録媒体にそれぞれＢＤを適用したときは、２枚のＢＤにより大記録容量を確保でき、デジタルハイビジョン放送を録画する場合などに一段と好適になる。また、第１記録媒体にＢＤ又はＨＤ ＤＶＤ、第２記録媒体にＨＤ ＤＶＤ又はＢＤを適用した場合は、記録方式の異なる大記録容量を有する２種類の記録媒体に対して同様な処理を行うことができる。
【０１３５】
さらにまた、上述した実施形態及び各変形例において、内蔵されたディスク装置についてはハードディスク装置のみに限定されるものではなく、他の種類の記録媒体に適宣置き換えて同様に適用することが可能である。例えばハードディスク部分の記録媒体には装置内に取り付けるタイプのもの以外に、第１記録媒体及び第２記録媒体として適用できる着脱タイプの各種記録媒体を用いることが可能であり、ハードディスク装置の替わりに着脱タイプの記録媒体を適用する場合は、ハードディスク装置及び接続インターフェース部を、適用する記録媒体に合致したドライブ部に適宣置き換えることで実現できる。
【０１３６】
以上、本発明の記録媒体への記録再生装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【０１３７】
また、上記各実施の形態では、１つのＨＤＤ装置と２つの光学ディスク装置を含む２トレイ方式の記録再生装置を例にして説明したが、ＨＤＤ装置を半導体メモリ装置に置き換えてもよく、表示制御に関してはトレイ数に関係なく同様の制御を行うことができる。特に、３トレイ式なども含まれる。また、液晶テレビなどとの複合機一体型や分離型記録再生装置にも好適に適用可能である。
【０１３８】
また、上記各実施の形態では、ＨＤＤ、ＢＤ及びＤＶＤの３ドライブを備える記録再生装置について説明したが、複数の記録媒体を有する記録再生装置であればよく、前述したように２トレイそれぞれにＢＤディスクを備える装置であってもよい。
【産業上の利用可能性】
【０１３９】
本発明は、記録再生装置の表示技術として利用できる。また、記録再生装置以外のＡＶ電子機器に適用することも可能である。
【図面の簡単な説明】
【０１４０】
【図１】本発明の第１の実施の形態の記録再生装置の外観構成例を示す斜視図であり表面パネルを閉じた状態を示す図である。
【図２】図２は、図１の斜視図に対応する図であり表面パネルを開いた状態を示す図である。
【図３】本実施の形態の記録再生装置の内部に配置されている光学ディスク装置の配置例を示す図である。
【図４】本実施の形態の記録再生装置を遠隔操作することができるリモートコントロール装置の構成例を示す図である。
【図５】本実施の形態の記録再生装置の内部構成例を示す機能ブロック図である。
【図６】本実施の形態の記録再生装置の６方向相互ダビングを説明する図である。
【図７】本実施の形態の記録再生装置のＨＤＤ、ＢＤ及びＤＶＤの３ドライブにＡＶデータを記録する記録モードと録画時間を示す図である。
【図８】本実施の形態の記録再生装置のＨＤＤ、ＢＤ及びＤＶＤの３ドライブにＡＶデータを記録するマニュアル記録モードと録画時間を示す図である。
【図９】本実施の形態の記録再生装置のＨＤＤ、ＢＤ及びＤＶＤの３ドライブにＡＶデータを記録するマニュアル記録モードと録画時間を示す図である。
【図１０】本実施の形態の記録再生装置のＢＤ自動記録動作を示すフローチャートである。
【図１１】本実施の形態の記録再生装置のダウンコンバート処理を示すサブルーチンである。
【図１２】本実施の形態の記録再生装置のダウンコンバート処理を示すサブルーチンである。
【図１３】本実施の形態の記録再生装置のＨＤＤ録画データをＢＤに書き戻す録画データ書き戻し処理を示すフローチャートである。
【図１４】本実施の形態の記録再生装置のＨＤＤ録画データをＢＤに書き戻す録画データ書き戻し処理を示すフローチャートである。
【図１５】本実施の形態の記録再生装置のＢＤ自動録画モード設定の動作を示すフローチャートである。
【図１６】本実施の形態の記録再生装置のＴＶ表示部の放送画面に表示されたダウンコンバートをする旨のメッセージの一例を示す図である。
【図１７】本発明の第２の実施の形態の記録再生装置のＢＤ自動記録動作を示すフローチャートである。
【図１８】本実施の形態の記録再生装置のＢＤ自動記録動作を示すフローチャートである。
【図１９】本発明の第３の実施の形態の記録再生装置ＡのＢＤ自動記録動作を示すフローチャートである。
【図２０】本実施の形態の記録再生装置のＢＤ自動録画モード設定の動作を示すフローチャートである。
【符号の説明】
【０１４１】
３  ＣＰＵ（ハイビジョン信号検出部，残容量検出部，設定部，制御部）
５  画像／音声信号処理部
７  ＲＯＭ
１１  ＲＡＭ
１５  インターフェイス部
１７  ＲＣ受光部
２１  Ｂ−ＣＡＳカードスロット駆動部
２７  ＯＳＤ機能部
３１  ＤＶＤ装置
３１ｃ，３３ｃ，３５ｃ  検出部
３３  ＨＤＤ装置
３５  ブルーレイ（ＢＤ）ディスク装置
３７  ディスク駆動制御部
４１  ＤＶＤ表示部
４３  ＨＤＤ表示部（ＬＥＤ）
４５  ＨＤＤ表示部（ＬＣＤ）
４７  ＢＤ表示部
５１  表示制御部
Ａ  記録再生装置
ＲＣ  リモコン装置
【図１】
2006165897.tif 000003
【図２】
2006165897.tif 000004
【図３】
2006165897.tif 000005
【図４】
2006165897.tif 000006
【図５】
2006165897.tif 000007
【図６】
2006165897.tif 000008
【図７】
2006165897.tif 000009
【図８】
2006165897.tif 000010
【図９】
2006165897.tif 000011
【図１０】
2006165897.tif 000012
【図１１】
2006165897.tif 000013
【図１２】
2006165897.tif 000014
【図１３】
2006165897.tif 000015
【図１４】
2006165897.tif 000016
【図１５】
2006165897.tif 000017
【図１６】
2006165897.tif 000018
【図１７】
2006165897.tif 000019
【図１８】
2006165897.tif 000020
【図１９】
2006165897.tif 000021
【図２０】
2006165897.tif 000022